(57)【特許請求の範囲】
【請求項１】
所定形状の平面基板に対して同一の高さの外壁及び流路壁が立設され、パチンコゲーム機の遊技盤裏面に固定することによってパチンコ球の誘導樋を構成するものであって、
前記遊技盤裏面側に送り出された電気機器のコネクタ付配線を通す通し溝を前記外壁に形成したパチンコゲーム機の裏トイにおいて、
前記外壁に形成された通し溝が、前記遊技盤裏面に当接する外壁の一部が切り欠かれたものであって、
前記配線を押圧し、且つ保持する第１切欠部と、
前記第１切欠部に連続して形成されるとともにパチンコ球が通過不可能な大きさで切り欠かれ、前記電気機器を交換する際に前記第１切欠部で押圧されている前記配線をずらすことによって前記コネクタと前記配線とを通過出来るようにする第２切欠部と、を有することを特徴とするパチンコゲーム機の裏トイ。
【発明の詳細な説明】
【０００１】
【発明の属する技術分野】
本発明は、遊技盤裏面に形成された誘導樋を構成するパチンコゲーム機の裏トイに関し、特に、遊技盤表面に取り付けられた電気機器からの配線を固定するとともに、電気機器の取り外しも容易に行うことができるパチンコゲーム機の裏トイに関する。
【０００２】
【従来の技術】
パチンコゲーム機では、その遊技盤表面に通常入賞口、始動入賞口、役物入賞口等が設けられ、各々の入賞口から入賞した入賞球は、遊技盤の裏面に取り付けられた誘導樋を構成する裏トイに案内されて流下する。ここで、図６は、従来の裏トイの一例を示した正面図であり、図７は、その側面図である。
パチンコゲーム機の遊技盤７１には、大入賞口を有するセンタ役物を配設する取付孔６１が開設され、裏トイ５１が、その取付孔６１を回避するように左右にまたいだ形状で形成されている。即ち、裏トイ５１は、その役物を回避するように左右に分岐するように形成されている。そして、平面基板５２の両サイド及び上部には外壁５３，５３，５４が垂直に立設され、更に両サイドの外壁５３，５３の頂部からは、平面基板５２に水平に張り出した固定部５５，５５…が連設されている。そして、その上段両サイドの固定部５５，５５には、遊技盤７１裏面に穿設された位置決孔７２，７２に嵌合する円筒状の位置決突起５５ａ，５５ａが形成されている。更に、平面基板５２には、外壁５３，５３，５４と同じ高さの流路壁５６，５６…が複数立設され流路樋が構成されている。
【０００３】
ところで、パチンコゲーム機では、遊技盤７１表面に取り付けられた役物８１，８２等には電動回転体等の電気機器から構成されるものもあり、それらが遊技盤７１に対して裏トイ５１と重なる位置に配設された場合には、その裏トイ５１を介して配線処理が行われる。具体的には、裏トイ５１の外壁５３，５３には、その頂部にわずかな隙間の切欠部５７が図７に示すように形成されている。この切欠部５７は、先端にコネクタ８３を有する配線８４の太さ程度しか切り欠かれていない。そこで、裏トイ５１を遊技盤に取りつけるに際して、遊技盤７１の裏面に送り出された配線８４，８４を図６に示すように横方向へ引っ張り、コネクタ８３が裏トイ５１の外へ出るようにして配設した後、位置決突起５５ａ，５５ａを位置決孔７２，７２に嵌合させ裏トイ５１を遊技盤７１に対して正確に位置決めしてから、不図示のビス又はタッカー（ステープル）によって固定していた。
ここで、電気機器とは、モータ、ソレノイド、ＬＥＤ、ランプ、セグメント若しくはこれらを有する役物、またこれら以外で配線とコネクタを有するもので裏トイ５１から配線とコネクタを出す必要のあるものである。
【０００４】
そこで、ほぼ配線８４の太さの切り欠かれた切欠部５７では、その配線８４が外壁５３によって遊技盤７１へ押圧されるようにして固定される。そのため、図６のように配線８４を外側に向けて張った状態で裏トイ５１を取り付ければ、その裏トイ５１内の流路上で配線がたるむことなく配設される。そして、特に役物８１の場合には、外壁５３との間に距離があるため、配線８４の長さを外壁５３までの距離とし、その先端にコネクタ８３を設けることで、コネクタ８３が切欠部５７に掛かり裏トイ５１内に入り込むことなく、配線８４が常に張った状態になるよう構成されている。
よって、遊技盤７１に取り付けられた裏トイ５１内の流路を流下する入賞球は、その配線に干渉して球づまりを起こしたりといった不都合を生ずることはない。つまり、外壁５３に形成された切欠部５７が、流路の途中でたるんでしまった配線に流下する入賞球が干渉することによって引き起こされる球づまりを防止する効果を発揮するものである。
【０００５】
【発明が解決しようとする課題】
しかしながら、このような効果を奏する切欠部５７の構成が、役物８１やその役物８１の電気機器等を取り替える際にその取り替えを困難なものとする原因となっていた。
即ち、役物８１等が故障した場合には、故障した役物のみを取り替える必要がある。しかしこの場合、裏トイ５１は、遊技盤７１に対してビス又はタッカー（ステープル）によって固定されているため容易に取り外すことはできず、配線８４先端のコネクタ８３は、切欠部５７を通り抜けできないといった状態にあった。そのため、役物８１等を遊技盤７１表面側から取り外すためには、例えば配線８４先端からコネクタ８３を外すことが行われていた。
従って、新たな役物８１等を取り付ける場合にも、遊技盤７１裏面から送り出したコネクタなしの配線８４を切欠部５７を通し、その後切欠部５７から出た配線８４先端にコネクタ８３を接続させる手間のかかる作業が必要があった。
【０００６】
そこで、本発明は、かかる問題点を解消すべく、配線のたるみを防止する効果を奏するとともに、電気機器の取り替えの容易なパチンコゲーム機の裏トイを提供することを目的とする。
【０００７】
【課題を解決するための手段】
本発明に係るパチンコゲーム機の裏トイは、所定形状の平面基板に対して同一の高さの外壁及び流路壁が立設され、パチンコゲーム機の遊技盤裏面に固定することによってパチンコ球の誘導樋を構成するものであって、遊技盤裏面側に送り出された電気機器のコネクタ付配線を通す通し溝を前記外壁に形成し、その前記外壁に形成された通し溝が、前記遊技盤裏面に当接する外壁の一部が切り欠かれたものであって、前記配線を押圧し、且つ保持する第１切欠部と、前記第１切欠部に連続して形成されるとともにパチンコ球が通過不可能な大きさで切り欠かれ、前記電気機器を交換する際に前記第１切欠部で押圧されている前記配線をずらすことによって前記コネクタと前記配線とを通過出来るようにする第２切欠部と、を有することを特徴とする。
また、本発明に係るパチンコゲーム機の裏トイは、前記通し溝の第１切欠部が、垂直に折れた形状で形成されたものであることが望ましい。
【０００８】
このような構成の本発明に係るパチンコゲーム機の裏トイは、遊技盤裏面に取りつけられてパチンコ球の誘導樋を構成するが、その裏トイを取り付けるに際して、遊技盤表面の電気機器に接続された配線を遊技盤裏面側に送り出し、裏トイの外壁に形成された通し溝の第１切欠部で遊技盤裏面に押圧する。そのため、遊技盤裏面側に送り出された配線は当該裏トイ内をたるむことなく配設される一方、その電気機器の取り替えの際には、配線を第１切欠部から第２切欠部へずらすことによって、裏トイの外に配設された配線先端のコネクタが外壁を通過することができ、容易にその取り替えをすることができる。
【０００９】
【発明の実施の形態】
次に、本発明にかかるパチンコゲーム機の裏トイの一実施の形態について図面を参照して説明する。図１は、第１実施の形態のパチンコゲーム機を構成する遊技盤１の裏面に裏トイ２１を取り付けた状態を示す図である。ここで、前記裏トイ２１は、前記従来例のものとほぼ同様な構成をなす下部用の裏トイ部材であり、図１には図示しないが、裏トイ２１の上方には不図示の上部用の裏トイ部材が固定される。
【００１０】
そこで、先ず裏トイ２１が取り付けられる遊技盤１の構造について簡単に説明する。遊技盤１は厚板のベニヤ板により形成されており、中央部には、図柄表示装置を配設する装置取付孔３が開設され、その装置取付孔３の周囲には、上部から下部に向かって順に、入賞口取付孔４，５、入賞口取付孔６，７、及び入賞口取付孔８，９が各々左右一対で開設されている。
また、下部にある入賞口取付孔８，９の間には、大入賞口の開閉扉を動作させる役物を配設する始動入賞口取付孔１０、及び対称な位置に図柄表示装置の作動契機となるゲートを配設するゲート取付孔１１，１２が開設されている。そして、装置取付孔３の下部には大入賞口を有する役物を配設する役物取付孔１３が開設されている。
【００１１】
入賞口取付孔４，５と入賞口取付孔６，７との間には、不図示の上部用の裏トイを固定するための位置決孔１５，１６が穿設されている。一方、入賞口取付孔８，９の更に外側には、下部用の裏トイ２１を固定するための位置決孔１７，１８が形成されている。
更に、役物取付孔１３の下部には、いずれの入賞口にも入賞せずに落下した球を取り入れるアウト球取入口１４が形成されている。
遊技盤１には上記のように各種取付孔が各々開設されているのであるが、この各取付孔に不図示の入賞口部材が取り付けられて各入賞口が形成する。そして、遊技盤表面の遊技面からこの各入賞口に入賞したパチンコ球は、上部及び下部用の裏トイによって誘導案内されて流下する。
【００１２】
次に、本実施の形態の特徴をなす裏トイについて具体的に説明する。なお、本実施の形態においても前記従来例と同様、図１に示した下部用の裏トイ２１について説明する。ここで、図２は、本実施の形態の裏トイ２１のを示した正面図であり、図３は、その側面図である。
パチンコゲーム機の遊技盤１のほぼ中央には大入賞口を有する役物が配設され、この裏トイ２１は、その役物を回避するように左右に分岐するように形成されている。即ち、裏トイ２１は、平面基板２２が広い面積上面部から役物をまたぐように２方向に分かれた下面部を形成している。そして、この平面基板２２の両サイド及び上部には外壁２３，２３，２４が垂直に立設され、更に両サイドの外壁２３，２３の頂部からは、平面基板２２に水平に張り出した固定部２５，２５…が連設されている。そして、その上段両サイドの固定部２５，２５には、遊技盤１裏面に穿設された位置決孔１７，１８に嵌合する円筒状の位置決突起２５ａ，２５ａが形成されている。更に、平面基板２２には、外壁２３，２３，２４と同じ高さの流路壁２６，２６…が複数立設され流路樋が構成されている。
【００１３】
ところで、パチンコゲーム機では、遊技盤１の入賞口取付孔８，９に取り付けられた役物３１，３２等には電動回転体等の電気機器から構成されるものもある。そのため、裏トイ２１と重なる位置にある入賞口取付孔８，９にそれらを取り付けた場合には、前記従来例と同様に裏トイ２１内に配線が送り出され配線処理が行われる。本実施の形態の裏トイ２１は、その配線処理を行う裏トイ２１の外壁２３，２３には、配線３４を押圧するための切欠部２７が図３に示す形状で形成されている。この切欠部２７は、先端にコネクタ３３を有する配線３４の太さ程度の大きさの第１切欠部２７ａと、コネクタ３３が通過可能な大きさの第２切欠部２７ｂとの２つのサイズで切り欠かれている。ただし、第２切欠部２７ｂは、そこからパチンコ球が出ないように、パチンコ球の直径以下の寸法で形成する必要がある。
【００１４】
そこで、裏トイ２１を遊技盤に取りつけるに際して、遊技盤１の裏面に送り出された配線３４，３４を図２に示すように横方向へ引っ張り、コネクタ３３が裏トイ２１の外へ出るようにして配設する。その後、位置決突起２５ａ，２５ａを位置決孔１７，１８に嵌合させ裏トイ２１を遊技盤１に対して正確に位置決めしてから、不図示のビス又はタッカー（ステープル）によって固定する。
ここで、裏トイ２１の切欠部２７の斜視図を図４に示した。図４に示すように、裏トイ２１を遊技盤１へ固定した状態では、狭い第１切欠部２７ａで配線３４，３４を押圧するとともに、コネクタ３３を引っ掛けることにより、配線３４，３４を張った状態に維持する。
【００１５】
一方、役物３１の交換の際には、第１切欠部２７ａを配線３４，３４を滑らせて第２切欠部２７ｂへずらすことにより、コネクタ３３が第２切欠部２７ｂを通過させる。コネクタ３３及び配線３４，３４が裏トイ２１の第２切欠部２７ｂを通ったところで、役物３１を遊技盤１へ固定したビスを外してその遊技盤１表側から取り出す。
そして、新しい役物３１は、そのコネクタ３３を第２切欠部２７ｂへ通して遊技盤１へビスで固定した後、その配線３４，３４を第１切欠部２７ａへずらすことで、裏トイ２１を外すことなく役物３１を交換する。
【００１６】
従って、このような第１実施の形態によるパチンコゲーム機の裏トイ２１は、切欠部２７を第１切欠部２７ａと第２切欠部２７ｂとのサイズの異なるものを連設したことにより、通常は、第１切欠部２７ａに配線３４，３４を挟み込んで裏トイ２１内のたるみをなくす一方、役物３１の取り替え時には、配線３４，３４を第２切欠部２７ｂへずらすことでコネクタ３３の引っ掛かりをなくして容易に役物３１の取り替えができるようになった。
【００１７】
次に、第２実施の形態の裏トイについて図面を参照して説明する。ただし、実施の形態の裏トイは、外壁に形成された切欠部を除き前記第１実施の形態と同様な構成を有するため、切欠部の構成のみを示して説明する。図５は、本実施の形態における裏トイ４１の切欠部４２を示した図である。図５に示すように、この切欠部４２は、第１切欠部４２ａが配線４３の太さ程度の大きさで、第２切欠部４２ｂが配線４３先端のコネクタ（不図示）が通過可能な大きさで形成された２つのサイズで切り欠かれたものであり、第１切欠部４２ａが直角に折れた鍵状である特徴を有する。
【００１８】
そして、裏トイ４１を遊技盤に取りつけるに際しては、前記第１実施の形態と同様、遊技盤１の裏面に送り出された配線４３，４３を図１の如く横方向へ引っ張り、コネクタが裏トイ４１の外へ出るようにして配設する。そのとき、配線４３を第１切欠部４２ａの直角に折れた箇所に配設し、第２切欠部４２ｂ側へずれないようにする。その後、前記第１実施の形態で記したように、位置決突起２５ａ，２５ａを位置決孔１７，１８に嵌合させ裏トイ４１を遊技盤１に対して正確に位置決めしてから、不図示のビス又はタッカー（ステープル）によって固定する。
ここで、裏トイ４１を遊技盤（不図示）へ固定した状態では、狭い第１切欠部４２ａの直角に折れた箇所に配設したので、第２切欠部４２ｂ側へずれることはなくコネクタ４３が引っ掛けられ、配線４３，４３を張った状態に維持する。
一方、役物の交換の際には、第１切欠部４２ａの形状に沿って配線４３，４３をずらせ第２切欠部４２ｂへ移動させ、コネクタが第２切欠部４２ｂを通過できるようにする。
【００１９】
従って、第２実施の形態によるパチンコゲーム機の裏トイでも、切欠部４２の第１切欠部４２ａと第２切欠部４２ｂとのサイズの異なるものとし、更に第１切欠部４２ａの形状を鍵状としたことにより、通常は、配線４３，４３が第１切欠部４２ａに入り込み、コネクタが引っ掛かることで裏トイ４１内のたるみをなくす一方、役物の取り替え時には、配線４３，４３を第２切欠部４２ｂへずらすことでコネクタの引っ掛かりをなくして容易に役物の取り替えができるようになった。
【００２０】
なお、本発明は、前記実施の形態のものに限定されるわけではなく、その趣旨を逸脱しない範囲で様々な変更が可能である。
例えば、前記第１、第２実施の形態では、狭い第１切欠部２７ａ，４２ａの形状を直線と直角に折れた鍵状としたが、このような形状のものに限ることなく波形等のようなズレの生じにくい形状としたものであればよい。
また、このような切欠は、電気機器の存在する箇所に対応して裏トイに形成されるものであって、前記実施の形態で示した下部用の裏トイだけでなく、上部用の裏トイ、そしてそれらの各箇所に形成される。また、第２切欠部の大きさは、パチンコ球が出ない大きさならば、コネクタの大きさよりも大きくてかまわない。
【００２１】
【発明の効果】
本発明は、役物に接続されたコネクタ付きの配線を遊技盤裏面の電源側コネクタに接続するために形成された外壁の通し溝が、遊技盤裏面に当接する外壁の一部が切り欠かれたものであって、配線を押圧して保持する第１切欠部と、パチンコ球が通過不可能な大きさで切り欠かれ、電気機器を交換する際に第１切欠部で押圧されている配線をずらすことによってコネクタと配線とを通過出来るようにした第２切欠部とが連続して形成されたものであるため、配線のたるみを防止する効果を奏するとともに、役物等の取り替えの容易なパチンコゲーム機の裏トイを提供することが可能となった。
【図面の簡単な説明】
【図１】  パチンコゲーム機の遊技盤裏面を示した正面図である。
【図２】  第１実施の形態に係るパチンコゲーム機の裏トイを示した正面図である。
【図３】  第１実施の形態に係るパチンコゲーム機の裏トイを示した側面図である。
【図４】  第１実施の形態に係る切欠部を示した拡大斜視図である。
【図５】  第２実施の形態に係る切欠部を示した側面図である。
【図６】  パチンコゲーム機の裏トイにおける従来例を示した正面図である。
【図７】  パチンコゲーム機の裏トイにおける従来例を示した側面図である。
【符号の説明】
１      遊技盤
３      装置取付孔
４，５，６，７，８，９    入賞口取付孔
１０    始動入賞口取付孔
１１，１２    ゲート取付孔
１３    役物取付孔
１４    アウト球取入口
１５，１６    位置決孔
１７，１８    位置決孔
２１    裏トイ
２２    平面基板
２３，２４  外壁
２５    固定部
２６    流路壁
２７    切欠部
２７ａ  第１切欠部
２７ｂ  第２切欠部
３３    コネクタ
３４    配線
４１    裏トイ
４２    切欠部
４２ａ  第１切欠部
４２ｂ  第２切欠部
４３    配線
５１    裏トイ
５２    平面基板
５３，５３，５４    外壁
５５    固定部
５６    流路壁
５７    切欠部
６１    取付孔
７１    遊技盤
７２    位置決孔
８１，８２    役物
８３    コネクタ
８４    配線
【図１】
0003893524.tif 000002
【図２】
0003893524.tif 000003
【図３】
0003893524.tif 000004
【図４】
0003893524.tif 000005
【図５】
0003893524.tif 000006
【図７】
0003893524.tif 000007
【図６】
0003893524.tif 000008